(57)【要約】【課題】  コネクタを配線基板上に強固に取り付けるといったことを行わずに、筐体の差込口から外部に臨むコネクタを配線基板上に確実に保持させる。【解決手段】  プラグ２２ａが差し込まれるプラグ差込口２０が形成された筐体２ａと、筐体２ａのプラグ差込口２０から外部に臨むと共に、プラグ差込口２０から差し込まれたプラグ２２ａと電気的に接続されるコネクタ２１と、コネクタ２１が取り付けられるプリント配線基板２５とを備え、コネクタ２１は、筐体２ａのプラグ差込口２０の周囲からプラグ２２ａの差込方向に沿って突出された支持片３０，３１や当接突部３２によって、プラグ２２ａの差込方向と直交する方向に支持されている。【選択図】  図１２
2005078861.tif 000002
【特許請求の範囲】
【請求項１】
外部端子が差し込まれる差込口が形成された外部筐体と、
上記外部筐体の差込口から外部に臨むと共に、上記差込口から差し込まれた外部端子と電気的に接続されるコネクタと、
上記コネクタが取り付けられる配線基板とを備え、
上記コネクタは、上記外部筐体の差込口の周囲から上記外部端子の差込方向に沿って突出された支持片によって、少なくとも上記外部端子の差込方向と直交する方向に支持されていることを特徴とする電子機器。
【請求項２】
上記コネクタは、上記配線基板に形成された孔部と係合される突起部を有し、前記突起部が前記孔部を貫通した状態で、前記突起部の先端が上記支持片に当接されて支持されていることを特徴とする請求項１記載の電子機器。
【請求項３】
上記支持片は、先端部に上記コネクタの背面に沿って折り返された爪部を有し、前記爪部が上記コネクタの背面を係止することによって、上記コネクタを背面側から支持することを特徴とする請求項１記載の電子機器。
【請求項４】
上記コネクタ及び／又は上記配線基板は、上記外部筐体の内部に設けられた内部筐体に背面側が当接されて支持されていることを特徴とする請求項１記載の電子機器。
【請求項５】
上記内部筐体は、先端部に溝部が形成された支持部を有し、前記支持部の溝部に上記配線基板が差し込まれることによって、上記配線基板を背面側から支持することを特徴とする請求項４記載の電子機器。
【請求項６】
上記コネクタは、ＡＶマルチコネクタであることを特徴とする請求項１記載の電子機器。
【発明の詳細な説明】
【技術分野】
【０００１】
本発明は、外部端子が差し込まれるコネクタを備えた電子機器に関する。
【背景技術】
【０００２】
近年、パーソナルコンピュータや、デジタルビデオカメラ、デジタルスチルカメラ等の電子機器が一般家庭に広く普及し、例えばデジタルビデオカメラで撮影した映像等をデジタルデータとしてパーソナルコンピュータに取り込んで編集したり、ＤＶＤ等に保存するといったことが個人で簡単に行えるようになっている。
【０００３】
このような電子機器では、接続コードによって互いを接続し、データの入出力を行うものが多く、筐体の側面部等には、接続コードのプラグを差し込むプラグ差込口が設けられている。そして、このプラグ差込口から外部に臨むコネクタに外部端子であるプラグを差し込むことによって、外部の電子機器と簡単に接続することが可能となっている。
【０００４】
ところで、筐体のプラグ差込口から外部に臨むコネクタは、筐体内部に配設された配線基板上にはんだ付け等により取り付けられている。また、コネクタは、プラグ差込口からプラグを差し込む際のこじり強度を保つため、保持部材等によって配線基板上に保持されたものもある（例えば、特許文献１を参照。）。
【０００５】
しかしながら、従来のコネクタ及び配線基板の保持構造では、コネクタにプラグが差し込まれた際に、コネクタと配線基板との取付部分に負荷がかかり、配線基板上に取り付けたコネクタが配線基板から引き剥がされてしまったり、逆に、コネクタを配線基板上に強固に固定すると、コネクタと配線基板との取付部分にかかる負荷によって、配線基板にひび（クラック）が入るといった問題が発生することがあった。
【０００６】
【特許文献１】実公平６−３８５３６号公報
【発明の開示】
【発明が解決しようとする課題】
【０００７】
そこで、本発明は、このような従来の事情に鑑みて提案されたものであり、コネクタを配線基板上に強固に取り付けるといったことを行わずに、筐体の差込口から外部に臨むコネクタを配線基板上に確実に保持させることを可能とした電子機器を提供することを目的とする。
【課題を解決するための手段】
【０００８】
この目的を達成するために、本発明に係る電子機器は、外部端子が差し込まれる差込口が形成された外部筐体と、外部筐体の差込口から外部に臨むと共に、差込口から差し込まれた外部端子と電気的に接続されるコネクタと、コネクタが取り付けられる配線基板とを備え、コネクタは、外部筐体の差込口の周囲から外部端子の差込方向に沿って突出された支持片によって、少なくとも外部端子の差込方向と直交する方向に支持されていることを特徴としている。
【０００９】
以上のように、本発明に係る電子機器では、外部筐体の差込口から外部に臨むコネクタが、外部筐体の差込口の周囲から外部端子の差込方向に沿って突出された支持片によって、外部端子の差込方向と直交する方向に支持されていることから、コネクタに外部端子が差し込まれた際に、外部端子の差込方向と直交する方向の力を当該コネクタが直接受けることになる。
【発明の効果】
【００１０】
したがって、本発明に係る電子機器では、コネクタと配線基板との取付部分に負荷をかけることなく、コネクタを配線基板上に保持することが可能であり、コネクタに外部端子を差し込んだり、引き抜いたりする際のコネクタのこじり強度を保つことが可能である。
【発明を実施するための最良の形態】
【００１１】
以下、本発明を適用した電子機器について、図面を参照しながら詳細に説明する。
【００１２】
本発明を適用した電子機器は、例えば図１，図２及び図３に示すカメラ一体型デジタルビデオテープレコーダ（以下、デジタルビデオカメラという。）１である。このデジタルビデオカメラ１は、全体略直方体状の本体部２と、この本体部２の一側面に開閉可能に取り付けられた略矩形平板状のパネル部３とを備えている。
【００１３】
本体部２は、被写体を撮影するための撮像ユニットを有しており、この本体部２の前面には、撮像レンズ４ａを外部に臨ませるレンズ部４が設けられている。また、本体部２の上面部には、夜間等にストロボを発光させるフラッシュ発光部５がポップアップ可能に設けられている。また、本体部２の上面部には、音声を収録するための音声収録ユニットとして、マイクロフォン等のステレオマイク６が設けられている。
【００１４】
なお、本体部２の筐体２ａの内部には、撮像レンズ４ａを含む光学系が内蔵されたレンズ鏡筒や、このレンズ鏡筒で結像された被写体の像を撮像するＣＣＤ(Charge Coupled Device)等が設けられており、撮像ユニットは、撮像レンズ４ａを通して取り込まれた画像をＣＣＤにより電気信号に変換し、映像データとして後述する記録再生ユニットや表示ユニット等に出力する。
【００１５】
本体部２の背面側には、撮像ユニットにより撮像された画像を表示する本体側の表示ユニットとして、アイカップ７ａから内部の液晶表示素子(ＬＣＤ:LiquidCrystal Display)に表示された画像を覗き見る電子ビューファインダ(ＥＶＦ:Electronic View Finder)７が、本体部２に対して引き出し可能に設けられている。
【００１６】
本体部２のパネル部３が設けられた一側面とは反対側の他側面には、この本体部２の筐体２ａを構成する蓋体８が開閉可能に取り付けられており、その内側には、テープカセットを装着するためのカセット装着部が設けられている。また、本体部２の他側面には、この本体部２を把持するためのグリップベルト９が取り付けられている。
【００１７】
なお、本体部２の筐体２ａの内部には、上述した撮像ユニット及び音声収録ユニットからの映像信号及び音声信号等を記録・再生するための記録再生ユニットとして、上述したテープカセット装着部に装着されたテープカセットの磁気テープに対して、信号の記録・再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００１８】
本体部２の一側面には、パネル部３の下方に位置して、このデジタルビデオカメラ１の電源となるバッテリパック１０が着脱可能に取り付けられている。また、本体部２の各所には、各種操作を行うための操作ボタンやスイッチ等が設けられている。
【００１９】
また、この本体部２の他側面に開閉可能に取り付けられた端子カバー１１を開けると、その内側の筐体２ａの側面に、例えばヘッドフォンやマイク等を接続するためのヘッドフォン出力端子やマイク入力端子、また、パーソナルコンピュータ等の他の電子機器に対して映像信号及び音声信号の入出力を行うための映像／音声入出力端子等の外部接続用の端子部１２が設けられている。
【００２０】
パネル部３は、撮像ユニットにより撮像された画像を表示するパネル側の表示ユニットとして、筐体３ａの一主面側に液晶表示パネル（ＬＣＤ）１３を有しており、この液晶表示パネル１３によって、本体部２側のビューファインダ７以外にも、撮像レンズ４ａを通して撮影された画像を表示することが可能となっている。すなわち、このデジタルビデオカメラ１では、本体部２を片手で把持した状態で、背面側のビューファインダ７を覗きながら、或いは、パネル部３の液晶表示パネル１３を見ながら、撮影を行うことが可能となっている。
【００２１】
また、パネル部３は、本体部２にヒンジ機構１４を介して回動可能に取り付けられており、このヒンジ機構１４は、パネル部３を本体部２に対して、図３中矢印Ａに示す開閉方向に回動可能に支持すると共に、図３中矢印Ｂに示す開閉方向と直交する軸回りに回動可能に支持している。これにより、パネル部３は、本体部２に対して開閉したり、開いた状態において、液晶表示パネル１３の向きを切り替えることが可能となっている。
【００２２】
したがって、このデジタルビデオカメラ１では、パネル部３の角度を切り替えることによって、例えば液晶表示パネル１３を見ながら撮影者自身を撮影するといったことが可能である。また、パネル部３は、閉じた状態において、本体部２の一側面を切り欠くように形成されたパネル収納部１５に収納することが可能となっている。
【００２３】
ところで、このデジタルビデオカメラ１は、図２に示すように、上述した端子部１２に設けられたプラグ差込口２０から外部に臨むコネクタ２１に、外部から接続コード２２のプラグ２２ａを差し込むことによって、この接続コード２２を介して接続される外部の電子機器との間でデータのやり取りが簡単に行えるようになっている。
【００２４】
このコネクタ２１は、図４，図５及び図６に示すように、上述した映像／音声入出力端子となるＡＶマルチコネクタであり、全体が略直方体状に形成されると共に、その前面側には、外部端子であるプラグ２２ａが差し込まれるジャック部２３が設けられている。ジャック部２３は、プラグ２２ａを保持するスリーブ状の保持孔であり、その内側には、ジャック部２３に差し込まれたプラグ２２ａと電気的に接続される端子列２４ａが形成された端子板２４が配置されている。また、コネクタ２１の背面側には、端子板２４の端子列２４ａと電気的に接続された複数の端子ピン２４ｂが、このコネクタ２１の底面部に向かって延長して設けられている。
【００２５】
このコネクタ２１は、プリント配線基板２５上にはんだ付けにより取り付けられている。具体的に、コネクタ２１の底面部には、プリント配線基板２５に固定される４つの固定ピン２６が突出形成されている。これら４つの固定ピン２６は、コネクタ２１の左右の端縁部に位置して、それぞれ前後に一対並んで配置されている。また、コネクタ２１の底面略中央部には、前後一対の当接ピン２７が突出形成されている。
【００２６】
一方、プリント配線基板２５は、コネクタ２１を実装するのに足る大きさの小型基板であり、上述したコネクタ２１の固定ピン２６に対応した４つの貫通孔２８ａと、上述した一対の当接ピン２７に対応した２つの貫通孔２８ｂとを有している。また、プリント配線基板２５の背面側には、長尺状のフレキシブル配線基板２９が延長して設けられている。このフレキシブル配線基板２９の配線パターンは、プリント配線基板２５に形成された配線パターンと電気的に接続されている。
【００２７】
そして、コネクタ２１は、プリント配線基板２５の貫通孔２８ａ，２８ｂに固定ピン２６及び当接ピン２７を貫通させた状態で、固定ピン２６をプリント配線基板２５にはんだ付けすることによって、このプリント配線基板２５上に位置決め固定されている。また、コネクタ２１の端子ピン２４ｂは、プリント配線基板２５に形成された配線パターンと電気的に接続されている。
【００２８】
このプリント配線基板２５に取り付けられたコネクタ２１は、図２に示すように、外部筐体である本体部２の筐体２ａに設けられたプラグ差込口２０から外部に臨むかたちで取り付けられている。
【００２９】
具体的に、筐体２ａの内側面には、図７及び図８に示すように、コネクタ２１の両側面部と当接される一対の第１の支持片３０が、プラグ差込口２０の周囲からプラグ２２ａの差込方向に沿って突出形成されている。また、筐体２ａの内側面には、プリント配線基板２５の貫通孔２８ｂを貫通した一対の当接ピン２７の先端が当接される第２の支持片３１が、プラグ差込口２０の周囲からプラグ２２ａの差込方向に沿って突出形成されている。また、筐体２ａの内側面には、コネクタ２１の上面部と当接される当接突部３２がプラグ差込口２０の周囲からプラグ２２ａの差込方向に沿って突出形成されている。そして、コネクタ２１は、これら一対の第１の支持片３０、第２の支持片３１及び当接突部３２によって仕切られた間に嵌め込まれることによって、プラグ２２ａの差込方向と直交する方向に支持されている。さらに、筐体２ａの内側面には、プリント配線基板２５の両側面部に当接されることによって、このプリント配線基板２５の移動を規制する一対の規制片３３がプラグ２２ａの差込方向に沿って突出形成されている。
【００３０】
これらコネクタ２１及びプリント配線基板２５の背面側には、上述したビューファインダ７が配置されている。このビューファインダ７は、図９に示すように、上述したアイカップ７ａが取り付けられたスライド筒体３４と、このスライド筒体３４を内部に挿入した状態でスライド可能に支持する支持筒体３５とを有し、この支持筒体３５を筐体２ａの内部に配置し固定することによって、スライド筒体３４を筐体２ａから外部へと引き出すことが可能となっている。
【００３１】
この内部筐体となるビューファインダ７の支持筒体３５には、図１０に示すように、コネクタ２１及びプリント配線基板２５と対向する主面から一対の支持突起３６が突出形成されている。これら一対の支持突起３６は、先端部に溝部３６ａを有しており、この溝部３６ａにプリント配線基板２５が差し込まれることによって、プリント配線基板２５を背面側から支持している。さらに、これら一対の支持突起３６の間からは、プリント配線基板２５の下面を支持する支持片３７が突出形成されている。
【００３２】
したがって、コネクタ２１が取り付けられたプリント配線基板２５は、図１１に示すように、コネクタ２１のジャック部２３を筐体２ａのプラグ差込口２０から外部に臨ませた状態で、外側の筐体２ａと内側の支持筒体３５との間で挟み込まれた状態で保持されている。
【００３３】
以上のように、このデジタルビデオカメラ１では、図１２，図１３及び図１４に示すように、筐体２ａのプラグ差込口２０から外部に臨むコネクタ２１が、筐体２ａのプラグ差込口２０の周囲からプラグ２２ａの差込方向に沿って突出された第１の支持片３０、第２の支持片３１及当接突部３２によって、プラグ２２ａの差込方向と直交する方向に支持されている。
【００３４】
この場合、プラグ２２ａの差込方向と直交する方向の力をコネクタ２１が直接受けることになる。これにより、デジタルビデオカメラ１では、コネクタ２１とプリント配線基板２５との取付部分に過剰な負荷をかけることなく、コネクタ２１をプリント配線基板２５上に確実に保持させることが可能である。すなわち、これら第１の支持片３０、第２の支持片３１及当接突部３２は、プラグ２２ａの差込方向と直交する方向に対するコネクタ２１の移動を規制し、このコネクタ２１をプリント配線基板２５上に確実に保持させる。
【００３５】
また、このデジタルビデオカメラ１では、一対の支持突起３６の先端部に形成された溝部３６ａにプリント配線基板２５が差し込まれることによって、このプリント配線基板２５を背面側から支持している。
【００３６】
この場合、プラグ２２ａの差込方向の力をプリント配線基板２５の端面が受けることによって、コネクタ２１とプリント配線基板２５との取付部分に過剰な負荷をかけることなく、コネクタ２１をプリント配線基板２５上に確実に保持させることが可能である。
【００３７】
したがって、このデジタルビデオカメラ１では、コネクタ２１にプラグ２２ａを差し込んだり、引き抜いたりする際のコネクタ２１のこじり強度を保つことが可能であり、プリント配線基板２５上に取り付けたコネクタ２１がプリント配線基板２５から引き剥がされるといったことを防ぐことが可能である。また、コネクタ２１をプリント配線基板２５に強固に取り付けるといった必要がないことから、プリント配線基板２５にかかる負荷によって、プリント配線基板２５にひび（クラック）が入るといったことを防ぐことが可能である。
【００３８】
なお、本発明では、コネクタ２１やプリント配線基板２５の周囲に存在する部材を利用して、コネクタ２１やプリント配線基板２５の背面側を支持する構成としてもよい。
【００３９】
例えば図１５に示す第１の変形例のように、プリント配線基板２５の背面側が支持筒体３５の側面に直接当接されることによって、内部筐体である支持筒体３５がプリント配線基板２５の背面側を支持した構造とすることも可能である。
【００４０】
また、図１６に示す第２の変形例のように、支持筒体３５の側面から突出形成された支持片３８がコネクタ２１の背面に当接されることによって、このコネクタ２１の背面側を支持筒体３５の支持片３８が支持した構造とすることも可能である。
【００４１】
この場合、プラグ２２ａの差込方向の力をコネクタ２１が直接受けることになる。これにより、デジタルビデオカメラ１では、プラグ２２ａの差込方向に対するコネクタ２１の移動を規制し、コネクタ２１とプリント配線基板２５との取付部分に過剰な負荷をかけることなく、コネクタ２１をプリント配線基板２５上に確実に保持させることが可能である。
【００４２】
さらに、図１７に示す第３の変形例のように、上述したコネクタ２１の両側面部と当接される一対の第１の支持片３６ａの先端部に、コネクタ２１の背面に沿って内側に折り返された爪部３９を設け、この爪部３９がコネクタ２１の背面を係止することによって、コネクタ２１を背面側から支持した構造とすることも可能である。
【００４３】
この場合も、プラグ２２ａの差込方向の力をコネクタ２１が直接受けることになる。これにより、デジタルビデオカメラ１では、プラグ２２ａの差込方向に対するコネクタ２１の移動を規制し、コネクタ２１とプリント配線基板２５との取付部分に過剰な負荷をかけることなく、コネクタ２１をプリント配線基板２５上に確実に保持させることが可能である。
【産業上の利用可能性】
【００４４】
なお、本発明を適用した電子機器は、上述したデジタルビデオカメラ１に限定されるものではなく、本発明は、外部端子が差し込まれるコネクタを備えた電子機器に対して広く適用可能である。
【図面の簡単な説明】
【００４５】
【図１】本発明を適用したデジタルビデオカメラを前面側から見た斜視図である。
【図２】上記デジタルビデオカメラを背面側から見た斜視図である。
【図３】上記デジタルビデオカメラのパネル部の向きを切り替えた状態及びビューファインダ部を引き出した状態を示す斜視図である。
【図４】コネクタのプリント配線基板に対する取付構造を示す斜視図である。
【図５】コネクタのプリント配線基板に対する取付構造を示す上面図である。
【図６】コネクタのプリント配線基板に対する取付構造を示す下面図である。
【図７】プリント配線基板に取り付けられたコネクタが筐体に取り付けられる前の状態を示す斜視図である。
【図８】プリント配線基板に取り付けられたコネクタが筐体に取り付けられた状態を示す斜視図である。
【図９】ビューファインダの構成を示す斜視図である。
【図１０】プリント配線基板の背面側がビューファインダの支持筒体に支持された状態を示す斜視図である。
【図１１】コネクタ及びプリント配線基板が外側の筐体と内側の支持筒体との間に保持された状態を示す正面図である。
【図１２】コネクタ及びプリント配線基板の保持構造を示す正面図である。
【図１３】コネクタ及びプリント配線基板の保持構造を示す断面図である。
【図１４】コネクタ及びプリント配線基板の保持構造を示す上面図である。
【図１５】コネクタ及びプリント配線基板の保持構造について第１の変形例を示す断面図である。
【図１６】コネクタ及びプリント配線基板の保持構造について第２の変形例を示す断面図である。
【図１７】コネクタ及びプリント配線基板の保持構造について第３の変形例を示す断面図である。
【符号の説明】
【００４６】
１  デジタルビデオカメラ、２  本体部、２ａ  筐体、３  パネル部、７  電子ビューファインダ、１１  端子カバー、１２  端子部、２０  プラグ挿脱口、２１  コネクタ、２２  接続コード、２２ａ  プラグ、２５  プリント配線基板、２６  固定ピン、２７  当接ピン、２９  フレキシブル配線基板、２８ａ，２８ｂ  貫通孔、３０  第１の支持片、３１  第２の支持片、３２  当接突部、３５  支持筒体、３６  支持突起、３６ａ  溝部
【図１】
2005078861.tif 000003
【図２】
2005078861.tif 000004
【図３】
2005078861.tif 000005
【図４】
2005078861.tif 000006
【図５】
2005078861.tif 000007
【図６】
2005078861.tif 000008
【図７】
2005078861.tif 000009
【図８】
2005078861.tif 000010
【図９】
2005078861.tif 000011
【図１０】
2005078861.tif 000012
【図１１】
2005078861.tif 000013
【図１２】
2005078861.tif 000014
【図１３】
2005078861.tif 000015
【図１４】
2005078861.tif 000016
【図１５】
2005078861.tif 000017
【図１６】
2005078861.tif 000018
【図１７】
2005078861.tif 000019